(57)【要約】【課題】ワイパーヘッドが壁に接触した際のクッション性に勝れると共に、床面を隅々まで確実に清掃できるフローリングワイパーを提供する。【解決手段】フローリングワイパー１Ａのワイパーヘッド１０は、本体部１１と、該本体部１１の前後及び左右の端辺のうち少なくとも前後の端辺から立ち上がった端壁部１２と、各端壁部１２の上端から斜め下方に向けて先端１３ａが該端壁部１２から遠ざかる方向に延びる弾性壁部１３とを有し、弾性壁部１３は、各端壁部１２毎に独立した状態に形成され、弾性変形することによるクッション機能と、前記先端１３ａで拭布２０を床面３０に押し付けて清掃する清掃機能とを有し、該弾性壁部１３の厚みは前記端壁部１２の厚みより小さく、前記先端１３ａは、該弾性壁部１３が弾性変形していない時にも弾性変形した時にも該先端１３ａによって拭布２０を床面３０に押し付け可能な位置にある。【選択図】図７
2020010826.tif 000002
【特許請求の範囲】
【請求項１】
柄と、該柄の先端に取り付けられた矩形のワイパーヘッドと、該ワイパーヘッドの下面全体を覆うように該ワイパーヘッドに装着された拭布とを有し、前記ワイパーヘッドで前記拭布を床面に押し付けて清掃を行うフローリングワイパーにおいて、
前記ワイパーヘッドは、合成樹脂により、前後方向長さより左右方向長さが長い横長の矩形に形成され、前記柄が取り付けられている矩形の本体部と、該本体部の前後及び左右の端辺のうち少なくとも前後の端辺から上向きに立ち上がった端壁部と、各端壁部の上端から斜め下方に向けて先端が該端壁部から遠ざかる方向に延びる弾性壁部とを有し、
前記弾性壁部は、各端壁部毎に独立した状態に形成され、先端が前記端壁部に近づくように弾性変形することによるクッション機能と、前記先端で拭布を床面に押し付けて清掃する清掃機能とを有し、該弾性壁部の厚みは前記端壁部の厚みより小さく、該弾性壁部の前記先端は、該弾性壁部が弾性変形していない時にも弾性変形した時にも該先端によって前記拭布を床面に押し付け可能な位置にある、
ことを特徴とするフローリングワイパー。
【請求項２】
前記ワイパーヘッドの下面の、前記本体部と端壁部とが連なる角部には、前記本体部と端壁部とが円弧面で滑らかに連なる弧状部と、角ばった形状を有するコーナーリブとが設けられ、該コーナーリブは、ワイパーヘッドの下面と同一面上にあって前記弾性壁部に向けて延びるリブ下面と、該リブ下面の先端から前記端壁部の上端に向けて上向きに延びるリブ側面とを有していることを特徴とする請求項１に記載のフローリングワイパー。
【請求項３】
前記コーナーリブは、ワイパーヘッドの端辺に沿って複数配置されていることを特徴とする請求項２に記載のフローリングワイパー。
【請求項４】
前記弾性壁部の厚みは前記端壁部の厚みの１／３−１／２の範囲内にあることを特徴とする請求項１−３の何れかに記載のフローリングワイパー。
【請求項５】
前記弾性壁部の先端は、前記本体部の下面と同一平面上に位置していることを特徴とする請求項１−４の何れかに記載のフローリングワイパー。
【請求項６】
前記弾性壁部の先端は、前記拭布を床面に押し付け可能な範囲内で前記本体部の下面より上方に位置していることを特徴とする請求項１−４の何れかに記載のフローリングワイパー。
【請求項７】
前記弾性壁部の先端は円弧形に形成されていることを特徴とする請求項１−６の何れかに記載のフローリングワイパー。
【発明の詳細な説明】
【技術分野】
【０００１】
本発明は、板敷きの床の清掃を行うフローリングワイパーに関するものである。
【背景技術】
【０００２】
板敷きの床の清掃を行うフローリングワイパーは、特許文献１に開示されているように公知である。このフローリングワイパーは、一般に、柄と、該柄の先端に取り付けられた矩形のワイパーヘッドと、該ワイパーヘッドの下面全体を覆うように該ワイパーヘッドに装着された拭布とを有していて、前記ワイパーヘッドで前記拭布を床面に押し付けて該床面を清掃するものである。前記拭布には通常、清掃用の液剤やワックス等が含浸されている。
前記フローリングワイパーは、部屋の隅を清掃するとき、ワイパーヘッドの端部が壁に接触して騒音を発生したり壁面を傷つけたりすることがある。このため、特許文献２又は特許文献３に開示された第２及び第３のフローリングワイパーのように、前記ワイパーヘッドの側端部に、弾力性を有する緩衝部を設けたものも知られている。
【０００３】
このうち、特許文献２に開示された第２のフローリングワイパーは、ワイパーヘッドの前後及び／又は左右の側端部に、前記緩衝部として、Ｖ字状に折れ曲がった屈伸自在の弾性部片を設けたもので、該弾性部片によってクッション性を持たせたものである。
しかし、前記第２のフローリングワイパーは、ワイパーヘッドが壁に接触したとき、該ワイパーヘッドと壁面との間に前記弾性部片が介在するため、該弾性部片の突出量に相当する分だけ前記ワイパーヘッドと壁面との間に隙間が形成され、この隙間の部分を清掃することができないという問題がある。
【０００４】
一方、特許文献３に開示された第３のフローリングワイパーの場合は、緩衝性を持たせるため、ワイパーヘッドの四側辺に、上方に向けて垂直に立ち上がった上向き壁と、該上向き壁の上端から下方に向けて垂直に折り返された下向き壁とからなる緩衝壁を形成したものである。
しかし、この第３のフローリングワイパーでは、ワイパーヘッドの四側辺に形成された４つの緩衝壁が全て一体に連結されているため、弾性変形しにくく、しかも、前記下向き壁は、前記上向き壁との間に僅かな間隔を保った状態で真下に延びているため、可動範囲が狭く、このため、クッション性に難点があった。
【先行技術文献】
【特許文献】
【０００５】
【特許文献１】実用新案登録第３０２３１６７号公報
【特許文献２】特開平８−１１７１６８号公報
【特許文献３】特許第３６１６１５９号公報
【発明の概要】
【発明が解決しようとする課題】
【０００６】
本発明の技術的課題は、ワイパーヘッドが壁に接触した際のクッション性に勝れると共に、床面を隅々まで確実に清掃することが可能なフローリングワイパーを提供することにある。
【課題を解決するための手段】
【０００７】
前記課題を解決するため、本発明によれば、柄と、該柄の先端に取り付けられた矩形のワイパーヘッドと、該ワイパーヘッドの下面全体を覆うように該ワイパーヘッドに装着された拭布とを有し、前記ワイパーヘッドで前記拭布を床面に押し付けて清掃を行うフローリングワイパーにおいて、前記ワイパーヘッドは、合成樹脂により、前後方向長さより左右方向長さが長い横長の矩形に形成され、前記柄が取り付けられている矩形の本体部と、該本体部の前後及び左右の端辺のうち少なくとも前後の端辺から上向きに立ち上がった端壁部と、各端壁部の上端から斜め下方に向けて先端が該端壁部から遠ざかる方向に延びる弾性壁部とを有し、前記弾性壁部は、各端壁部毎に独立した状態に形成され、先端が前記端壁部に近づくように弾性変形することによるクッション機能と、前記先端で拭布を床面に押し付けて清掃する清掃機能とを有し、該弾性壁部の厚みは前記端壁部の厚みより小さく、該弾性壁部の前記先端は、該弾性壁部が弾性変形していない時にも弾性変形した時にも該先端によって前記拭布を床面に押し付け可能な位置にあることを特徴とするフローリングワイパーが提供される。
【０００８】
本発明において、前記ワイパーヘッドの下面の、前記本体部と端壁部とが連なる角部には、前記本体部と端壁部とが円弧面で滑らかに連なる弧状部と、角ばった形状を有するコーナーリブとが設けられ、該コーナーリブは、ワイパーヘッドの下面と同一面上にあって前記弾性壁部に向けて延びるリブ下面と、該リブ下面の先端から前記端壁部の上端に向けて上向きに延びるリブ側面とを有していると好ましい。
この場合、前記コーナーリブは、ワイパーヘッドの端辺に沿って複数配置されているとより好ましい。
【０００９】
本発明において、前記弾性壁部の厚みは前記端壁部の厚みの１／３−１／２の範囲内にある。
【００１０】
本発明において、前記弾性壁部の先端は、前記本体部の下面と同一平面上に位置していることでもよく、或いは、前記弾性壁部の先端は、前記拭布を床面に押し付け可能な範囲内で前記本体部の下面より上方に位置していることでもよい。
【００１１】
本発明において、前記弾性壁部の先端は円弧形に形成されていることが好ましい。
【発明の効果】
【００１２】
本発明のフローリングワイパーによれば、ワイパーヘッドが壁に接触した際のクッション性に勝れると共に、床面を隅々まで確実に清掃することが可能である。
【図面の簡単な説明】
【００１３】
【図１】本発明に係るフローリングワイパーの第１実施形態を示す斜視図である。
【図２】図１の状態から拭布を外した状態を示す拡大斜視図である。
【図３】図２の正面図である。
【図４】図３のＩＶ−ＩＶ線に沿った拡大断面図である。
【図５】第１実施形態のワイパーヘッドの平面図である。
【図６】図５の底面図である。
【図７】清掃時に弾性壁部が弾性変形していない状態を示す部分拡大断面図である。
【図８】清掃時に弾性壁部が弾性変形したときの状態を示す部分拡大断面図である。
【図９】弾性壁部の変形例を示すもので、清掃時に弾性壁部が弾性変形していない状態を示す部分拡大断面図である。
【図１０】本発明に係るフローリングワイパーの第２実施形態を示す斜視図である。
【図１１】図１０の状態から拭布を外した状態を示す拡大斜視図である。
【図１２】図１１の正面図である。
【図１３】図１１の側面図である。
【図１４】図１１の平面図である。
【図１５】図１１の底面図である。
【図１６】図１１の底面斜視図である。
【発明を実施するための形態】
【００１４】
図１−図９は本発明に係るフローリングワイパーの第１実施形態を示すもので、このフローリングワイパー１Ａは、図１に示すように、柄２と、該柄２の先端に取り付けられた矩形のワイパーヘッド１０と、該ワイパーヘッド１０の下面の全体を覆うように該ワイパーヘッド１０に装着された拭布２０とを有していて、前記ワイパーヘッド１０で前記拭布２０を床面３０に押し付けて清掃を行うものである。
【００１５】
前記拭布２０は、天然繊維又は合成繊維からなる柔軟な不織布を長方形状に形成した平面状のシートで、３−５ｍｍ程のやや厚手のものが好適に用いられる。拭布２０は、不織布に水や洗浄剤等の液体を含んだウェットタイプのものや、前記液体を含んでいないドライタイプのものが清掃目的に応じて使用される。しかし、前記拭布２０は、糸を織ったり編んだりして形成した布であってもよい。
【００１６】
前記柄２は、金属または合成樹脂からなる丸棒状の部材である。この柄２は、基端部にグリップ３が設けられていると共に、先端部に、前後方向及び左右方向に傾動できる自在継手４が取り付けられている。柄２は、この自在継手４を介して、前記ワイパーヘッド１０に、前後方向及び左右方向に向けて任意の角度傾動自在なるように連結されている。前記柄２は、長さ調整のために伸縮可能に形成されていてもよい。
【００１７】
前記ワイパーヘッド１０は、合成樹脂によって、前後方向長さより左右方向長さが長い横長の矩形に形成されていて、前記柄２が取り付けられている矩形の本体部１１と、該本体部１１の前後及び左右の端辺から上向きに立ち上がる端壁部１２と、各端壁部１２の上端から斜め下方に向けて先端１３ａが該端壁部１２から遠ざかる方向に延びる弾性壁部１３とを有している。
【００１８】
前記本体部１１は、前記柄２が取り付けられた上面１１ａと、前記拭布２０を装着して床面３０に押し付けられる下面１１ｂとを有する板状を成しており、その厚みは約２．５ｍｍ程度に形成されている。
【００１９】
図４及び図６に示すように、前記本体部１１の下面１１ｂは、前記拭布２０を固定する第１の面ファスナー１６を取り付けるための複数の凹部１７を有している。これら凹部１７は、いずれも同形同大の矩形の輪郭形状を有し、本体部１１の左右方向の中央位置を境とする左右両側に２つずつ形成されている。また、前記第１の面ファスナー１６は、前記拭布２０の繊維に絡む鉤形突子を有するもので、前記凹部１７の内底面の略全面に、ワイパーヘッド１０とは別に形成した部材を接着剤や両面接着テープ等の接合手段で取り付けるか、或いは、前記鉤形突子をワイパーヘッド１０と一体に形成することにより、該ワイパーヘッド１０に設けられている。前記凹部１７の深さは、前記第１の面ファスナー１６の鉤形突子が、前記本体部１１の下面１１ａから拭布２０に係止可能な量だけ突出する深さに形成されている。
【００２０】
前記本体部１１の上面１１ａには、図２−図５に示すように、前記柄２を取り付けるための柄取付部５が、該上面１１ａの前後方向及び左右方向の中央に位置するように形成されている。前記柄取付部５は、上方に向けて突出する凸形状を有し、その上端部が、前記自在継手４を接続する筒形をした一対の軸受部５ａ，５ａとして形成されている。
【００２１】
前記柄取付部５の左右方向の両側には、前記本体部１１の上面１１ａから上向きに隆起した凸部１５が設けられている。前記凸部１５は、本体部１１の下面１１ｂに前記凹部１７が凹設されたことに伴って設けられたものであり、前記柄取付部５から本体部１１の左右方向の一端及び他端まで延在している。凸部１５の幅は前記ワイパーヘッド１０の前後方向長さの約１／３を占めている。
【００２２】
また、前記本体部１１の上面１１ａには、該上面１１ａの前後方向の中央位置に、該上面１１ａから垂直に立ち上がった板状のリブ１４が、前記柄取付部５から前記本体部１１の長手方向の一端及び他端まで延在するように形成されている。リブ１４は、前記凸部１５の平らな頂面１５ａから上向きに立ち上がり、前記本体部１１の左右方向の両端側に向けて直線状に延びている。また、リブ１４の高さは、前記柄取付部５に連なる部分が最も高く、該柄取付部５側から前記本体部１１の左右方向の一端側及び他端側に向けて次第に低くなっている。リブ１４の幅は、前記柄取付部５の前後方向の幅よりも薄く形成され、且つ、該リブ１４の全長にわたって一定である。
【００２３】
前記本体部１１の上面１１ａには、前記拭布２０を該上面１１ａ側で着脱自在に係止する複数の第２の面ファスナー１８が取り付けられている。前記第２の面ファスナー１８は、第１の面ファスナー１６と同じ鉤形突子を有するものであり、前記本体部１１の長手方向両端部寄りの、前後方向に相対する位置に、それぞれ一対ずつ計４つ設けられている。この第２の面ファスナー１８も、前記第１の面ファスナー１６と同様に、ワイパーヘッド１０と一体のものであっても、別体のものであってもよい。
【００２４】
前記端壁部１２は、本体部１１の上面１１ａの各端辺から上方に起立しており、該端辺の長さ方向の全長にわたって設けられている。各端壁部１２の高さ寸法は全て同一であり、また、隣接する端壁部１２，１２同士は、本体部１１の四隅で円弧状をした連結部１２ａを介して滑らかに連なっている。端壁部１２の厚みは約２ｍｍ程度であり、前記本体部１１の厚みよりも薄くなっている。また、端壁部１２と前記本体部１１とが連なる角部は、円弧状に形成されている。
【００２５】
前記弾性壁部１３は、各端壁部１２毎に独立した状態に形成され、先端１３ａが前記端壁部１２に近づく方向に弾性変形する。すなわち、弾性壁部１３は、壁３１に接触した際に、弾性壁部１３と端壁部１２とが連なる連結部１９を支点にして、端壁部１２側に向けて弾性変形することができるように成っていて、弾性変形することによるクッション機能を有している。弾性壁部１３が、ワイパーヘッド１０の四側辺に設けられているため、ワイパーヘッド１０のいずれの端辺が壁３１に接触した場合でも、その衝撃が緩和される。また、隣接する前後及び左右の弾性壁部１３は、それぞれ個別に切り離されているので、各々の弾性壁部１３が単独で確実に弾性変形することができる。弾性壁部１３の厚みは、前記端壁部１２の厚みよりも小さく、該端壁部１２の厚さの１／３−１／２程度であることが好ましく、この実施形態では約１ｍｍ程度の薄板状に形成されている。このため、弾性変形し易くクッション性に長けている。
【００２６】
また、前記弾性壁部１３の先端１３ａは、弾性変形していない状態で前記本体部１１の下面１１ｂと同一平面上に位置していて、弾性壁部１３が弾性変形していない時にも弾性変形した時にも、該先端１３ａによって前記拭布２０を床面３０に押し付け可能に構成されている。このように、弾性壁部１３は、前記クッション機能を有する一方で、前記先端１３ａで拭布２０を常に床面に押し付けて清掃する清掃機能をも有している。また、前記弾性壁部１３の先端１３ａは、該弾性壁部１３がどのような角度にあっても常に拭布２０を床面３０に安定的に押し付けることができるように、円弧形に形成されている。
【００２７】
前記フローリングワイパー１Ａで床面３０を清掃する場合、先ず、前記拭布２０を、前記本体部１１の下面１１ｂ全体と、該本体部１１の上面１１の前後方向の両端部とを覆うように巻き付け、第１及び第２の面ファスナー１６，１８とでワイパーヘッド１０に固定する。この状態では、前後の端辺に位置する弾性壁部１３が拭布２０で覆われている。そして、本体部１１の下面１１ｂを床面３０に押し付け、前記ワイパーヘッド１０を前後或いは左右に押し動かすことで該床面３０の清掃が行われる。図７に示すように、壁３１にワイパーヘッド１０が接触しておらず、弾性壁部１３が弾性変形していない場合、前記拭布２０が、同一平面上にある本体部１１の下面１１ｂと先端１３ａとで圧縮された状態で床面３０に押し付けられる。
【００２８】
また、図８に示すように、前記壁３１にワイパーヘッド１０の前方或いは後方の端辺が接触した場合には、前記弾性壁部１３が端壁部１２に向けて弾性変形し、接触時の衝撃が緩和される。このとき、弾性壁部１３が端壁部１２側に弾性変形しても、その先端１３ａで拭布２０が床面３０に押し付けられた状態は維持されるので、壁３１近くの床面３０であっても、拭き残すことなく確実に清掃することができる。特に、前記弾性変形時においても、円弧形に形成された前記先端１３ａが、常に、拭布２０を安定的に床面３０に押圧するので、弾性壁部１３による良好な清掃状態が維持される。また、前記弾性壁部１３が弾性変形することによって、先端１３ａが本体部１１の下面１１ｂより若干下方に突き出した状態になったとしても、その突き出し分は、拭布２０が圧縮されることによって吸収されるため、清掃に支障を来すことはない。
このように、前記フローリングワイパー１Ａによれば、ワイパーヘッド１０が壁３１に接触した際のクッション性に優れていると共に、前記壁３１近くの清掃し難い床面３０であっても隅々まで確実に清掃することができる。
【００２９】
なお、前記実施形態では、前記弾性壁部１３の先端１３ａが、該弾性壁部１３が弾性変形していない状態で下面１１ｂと同一平面上に位置するように構成されているが、図９に示すように、この先端１３ａは、弾性壁部１３の弾性変形の有無に関わらず拭布２０を床面３０に押し付けることができる範囲内（例えば１ｍｍ以下）で、前記本体部１１の下面１１ｂよりも僅かに上方に位置させるように形成することもできる。この場合、本体部１１の下面１１ｂと弾性壁部１３の先端１３ａとの間で、拭布２０を床面３０に押し付ける力に若干の差が生じるが、図示した例のように比較的厚手の拭布２０を使用すれば、清掃に支障を来すことはない。
また、前記端壁部１２とこの端壁部１２に接続される弾性壁部１３は、少なくともワイパーヘッド１０の前後及び左右の端辺のうち、前後の端辺に設けられていればよく、本実施形態のようにワイパーヘッド１０の前後及び左右の端辺全てに設ける必要はない。
【００３０】
図１０−図１６は、本発明のフローリングワイパーの第２実施形態を示している。
以下の説明では、この第２実施形態のフローリングワイパー１Ｂと、前記の第１実施形態のフローリングワイパー１Ａとの相違点を中心に説明し、両者の同じ構成部分については、重複記載を避けるため、第２実施形態のフローリングワイパー１Ｂに第１実施形態のフローリングワイパー１Ａと同じ符号を付して具体的な説明を省略することとする。
【００３１】
前記フローリングワイパー１Ｂにおいて、ワイパーヘッド１０の本体部１１の上面１１ａには、第１実施形態のフローリングワイパー１Ａと同様に、柄取付部５から本体部１１の長手方向（左右方向）の一端及び他端まで延びるリブ２４が形成されている。このリブ２４は、前記の第１実施形態のリブ１４に比べて肉厚に形成されていて、その前後方向幅は、前記柄取付部５の前後方向の幅と同一であり、リブ２４及び柄取付部５の側面同士が同一面を成して連なっている。このリブ２４の頂部は円弧状に丸められている。なお、本体部１１の上面１１ａには、該上面１１ａ側で拭布２０を係止するための第２の面ファスナーは設けられていないが、第１実施形態と同様の面ファスナー１８を設けてもよい。
【００３２】
図１５及び図１６に示すように、本体部１１の下面１１ｂには、第１の面ファスナー１６が設けられている。この第１の面ファスナー１６は、ワイパーヘッド１０と別体の部材を前記下面１１ｂの平らな板面上に接着剤や両面接着テープ等の接着手段により取り付けたものであっても、鉤形突子をワイパーヘッド１０と一体に形成したものであっても良い。この第１の面ファスナー１６は、前記本体部１１の左右方向両端部寄りの、前後方向に相対する位置にそれぞれ一対ずつ計４つ設けられている。
【００３３】
また、前記本体部１１の下面１１ｂには、前記リブ２４に対応する部分に窪み２３が設けられている。この窪み２３は、柄取付部５からワイパーヘッド１０の左右の端辺まで延びていると共に、補強用の仕切り壁２５，２６によって複数の部分に区画されている。該仕切り壁２５，２６の高さは、前記窪み２３の深さと等しく、したがって該仕切り壁２５，２６の下面２５ａ，２６ａと前記本体部１１の下面１１ｂとは同一面上にある。
【００３４】
また、前記ワイパーヘッド１０の下面１１ｂの、前記本体部１１と端壁部１２とが連なる角部には、本体部１１と端壁部１２とが円弧面で滑らかに連なる弧状部２１と、角ばった形状を有するコーナーリブ２２とが設けられている。前記コーナーリブ２２は、前記下面１１ｂと同一面上にあって該下面１１ｂから前記弾性壁部１３に向けて延びるリブ下面２２ａと、リブ下面２２ａの先端から端壁部１２の上端に向けて上向きに延びるリブ側面２２ｂとにより側面視三角形状に形成されている。また、前記コーナーリブ２２は、リブ下面２２ａとリブ側面２２ｂとが同一幅を成す薄片状に形成されていて、ワイパーヘッド１０の各端辺に沿って複数配されている。
このコーナーリブ２２を設けたことで、前記弧状部２１が補強されると共に、該弧状部２１の部分で拭布２０が床面３０に押し付けられない状態になるのが該コーナーリブ２２により補われ、このコーナーリブ２２で拭布２０を確実に床面３０に押し付けることができるようになる。
なお、前記窪み２３の長さ方向両端に設けられた端部仕切り壁２６の、該窪み２３の幅方向両端側に位置する端部には、前記コーナーリブ２２と同様の形状をした張出部２６ｂ，２６ｂが設けられ、この張出部２６ｂ，２６ｂが前記弧状部２１に連なっている。
【００３５】
また、図１２及び図１３に示すように、前記弾性壁部１３は、該弾性壁部１３の側辺１３ｂを斜めにカットすることにより、該弾性壁部１３の基端側（連結部１９側）の長さよりも、該弾性壁部１３の先端１３ａ側の長さが短い形に形成されている。
【００３６】
なお、柄２の先端に取り付けられた自在継手４や、柄２の基端に取り付けられたグリップ３は、第１実施形態のフローリングワイパー１Ａの自在継手４及びグリップ３と若干形状は異なるが、同様の機能を有するものであるから、該第１実施形態の自在継手４及びグリップ３と同じものであってもよい。
【００３７】
このフローリングワイパー１Ｂで床面３０を清掃する場合にも、前記拭布２０を、前記本体部１１の下面１１ｂ全体を覆うようにワイパーヘッド１０に装着し、第１の面ファスナー１６で固定する。このとき、前記拭布２０は、本体部１１の上面１１ａ側では特に固定されていない。その状態で、前記ワイパーヘッド１０を前後或いは左右に押し動かすことで清掃作業が行われる。このフローリングワイパー１Ｂは、ワイパーヘッド１０の下面１１ｂに設けたコーナーリブ２２により、前記弧状部２１が補強されてワイパーヘッド１０が変形しにくく成っていると共に、拭布２０が床面３０に押し付けられない該弧状部２１の部分が補われるため、拭き残しなく、効果的に清掃作業をすることができる。
【符号の説明】
【００３８】
１Ａ，１Ｂ  フローリングワイパー
２      柄
５      柄取付部
１０    ワイパーヘッド
１１    本体部
１１ａ  上面
１１ｂ  下面
１２    端壁部
１３    弾性壁部
１３ａ  先端
１６    面ファスナー
２０    拭布
２１    弧状部
２２    コーナーリブ
２２ａ  リブ下面
２２ｂ  リブ側面
３０    床面
【図１】
2020010826.tif 000003
【図２】
2020010826.tif 000004
【図３】
2020010826.tif 000005
【図４】
2020010826.tif 000006
【図５】
2020010826.tif 000007
【図６】
2020010826.tif 000008
【図７】
2020010826.tif 000009
【図８】
2020010826.tif 000010
【図９】
2020010826.tif 000011
【図１０】
2020010826.tif 000012
【図１１】
2020010826.tif 000013
【図１２】
2020010826.tif 000014
【図１３】
2020010826.tif 000015
【図１４】
2020010826.tif 000016
【図１５】
2020010826.tif 000017
【図１６】
2020010826.tif 000018